【手続補正書】
【提出日】平成17年12月8日(2005.12.8)
【手続補正１】
【補正対象書類名】明細書
【補正対象項目名】全文
【補正方法】変更
【補正の内容】
【書類名】                明細書
【発明の名称】            自動切り替え表示機能付き医療福祉機器
【特許請求の範囲】
【請求項１】
複数の出力を一つの表示器で表示する医療福祉機器において、入力に新たな事象が生じたことを検出する入力モニタ（4）と出力側に新たな事象が生じたことを検出する出力モニタ（5）の一方又は両方と、出力を選択してモニタに表示させる表示切り替え部（6）を設け、入力又は出力に新たな事象が生じたときにその出力側を優先して表示するようにした医療福祉機器。
【請求項２】
複数の出力を一つの表示器で表示する医療福祉機器において、出力が出ているチャンネルと出ていないチャンネルが混在するとき、出力が出ているチャンネルを優先して表示するようにした医療福祉機器。
【発明の詳細な説明】
【０００１】
【産業上の利用分野】
本発明は、複数の出力を一つの表示器で表示する医療福祉機器の表示法に関するものである。
【０００２】
【従来の技術】
治療器、検査装置、その他の医療福祉機器において、複数の出力を一つの表示器で表示するものは多い。図２は、２つの出力を一つの表示器で表示する低周波治療器の、表示器近傍の外観例である。図の２１は表示器、２２は表示切り替えスイッチ、２３は出力１の出力調節ボリューム、２４は出力２の出力調節ボリュームである。
【０００３】
治療を開始するときは、使用するチャンネルに表示を切り替えて、表示をモニタしながら出力調節ボリュームを操作して、適正な値まで電流強度を上げて、治療をおこなう。治療中に刺激強度を変更したい場合も、やはり使用するチャンネルを表示し、表示をモニタしながら、出力を調節する。治療中に異常が発生すると、表示をそのチャンネルに切り替えて、異常を確認する。表示は、一旦切り替えると、次に切り替えるまで、同じチャンネルの出力を表示する。
【０００４】
ここでは２つの出力を有する低周波治療器の例を示したが、３チャンネル以上の出力を有する装置でも、また検査機器その他の医療福祉用具でも同様で、複数のチャンネルで１つの表意器を共有するものでは、使用するチャンネルに表示を切り替え、装置を操作するという点では共通している。
【０００５】
このように、複数出力を一つの表示器で表示するタイプの装置では、使用前や使用中の治療や測定等の条件設定（以下、出力調節とする）をおこなう場合、まず使用するチャンネルに表示を切り替えた後、出力設定をおこなう必要があった。また、出力に異常が発生したときは、そのチャンネルに表示を切換えないと、異常を確認することはできなかった。さらに、出力が出てない側に出力表示器を切り替えている場合、別のチャンネルに出力があっても、表示器は出力が無いことを表示し続けていたため、治療や測定等が終了したと勘違いして、中断してしまう可能性もあった。
【０００６】
【発明が解決しようとする課題】
このように、従来の装置では、出力調節をおこなう場合、まず使用するチャンネルの表示に切換える必要があるため、操作が面倒であった。このとき、表示を切り替えることを忘れて出力調節をおこなうと、表示と操作が一致しないため、正しい設定はできないし、別のチャンネルの出力を変化させてしまうという不都合が生じる可能性があった。このため、例えば治療器では、治療したい患者の刺激は正しくはできない、操作したチャンネルで別の人が治療を受けていて患者を過大に刺激することがあり危険がある等の問題があった。また、測定装置では、入力感度等を誤って操作し、測定ミスが生じることもあった。制御装置では、制御量を誤る等の不都合が生じる可能性があった。
【０００７】
また、使用中に表示していない出力に異常が生じても、表示しているチャンネルが正常であれば、異常を即時に確認することはできず、誤った判断をする恐れがある。
さらに、出力を出してない側に出力表示器が切り替わっている場合、表示器は出力が無いことを表示しつづけるので、出力を出していないと誤認する可能性がある。
本発明は、複数の出力を一つの表示器で表示する医療福祉機器において、表示を切換える煩わしさと、出力と表示の不一致により生じる不都合を解消することを目的とするものである。
【０００８】
【課題を解決するための手段】
これらの課題を解決するために請求項1記載の発明では、複数の出力を一つの表示器で表示する医療福祉機器において、入力に新たな事象が生じたことを検出する入力モニタ（4）と、出力側に新たな事象が生じたことを検出する出力モニタ（5）と、出力を選択してモニタに表示させる表示切り替え部（6）を設け、入力又は出力に新たな事象が生じたときにその出力側を優先して表示するようにした。
また、請求項2記載の発明では、出力が出ているチャンネルと出ていないチャンネルが混在しているとき、入力モニタ（4）又は出力モニタ（5）により出力が出ているかどうかを判断して、出力が出ているチャンネルを表示するようにした。
ここで言う事象とは、各種操作を行ったり、異常や外乱等が発生することである。本発明では、事象が発生する原因（装置の操作や装置の異常の発生等）と結果（出力）をモニタすることで、事象の発生を判断する。
【０００９】
【作用】
請求項1記載の発明により、新たに事象が発生したとき、入力モニタ（4）又は出力モニタ（5）によって新事象発生を検出し、表示切り替え部（6）で自動的に事象が発生したチャンネルに切り替えて表示することができる。
また、請求項2記載の発明により、出力が出ているチャンネルと出ていないチャンネルが混在しているとき、出力が出ているチャンネルを優先して表示することができる。
このため、誤った判断を避けることができる。
【００１０】
【実施例】
本発明の実施例を図１に示す。これは２つの出力チャンネルを有する低周波治療器のブロック図、図2はフローチャートの例である。図の１は刺激波発生部、２は増幅部、３は操作部、４は入力モニタ、５は出力モニタ、６は表示切り替え部、７は表示器である。
【００１１】
両チャンネルとも使用していないとき、両方の出力はゼロで、どちらの出力を表示していてもかまわない。
【００１２】
両チャンネルとも使用していない状態で、出力１を使用する場合を考える。出力1の治療用電極を患者に装着し、操作部３から患者に適した治療条件を設定し、出力調節ボリュームを操作して、患者に適した強度に出力を調節して、治療を行う。この実施例では、図2に示すように、出力１の出力調節ボリュームを操作すると、入力モニタ４でチャンネル１に事象が生じたことを検出し、表示切り替え部６でチャンネル１の出力を選択して表示器７に表示する。このように、表示切り替え部６を手で操作しなくても、使用したいチャンネルの出力調節ボリュームを調節するだけで表示は切り替わるので、この表示をモニタしながら出力調節ボリュームを操作し、患者に適した値に出力を調節することができる。
【００１３】
次に、チャンネル１のみを使用・表示しているとき、新たにチャンネル２を使用する場合を考える。出力２に患者を接続し、治療の準備を行った後、出力２の出力調節器を操作すると、これを入力モニタ４で検出し、チャンネル２の入力に新たな事象が発生したと判断し、図2のフローチャートに示すように、表示切り替え部６を制御して、出力２の出力表示に切り替える。この表示を見ながら出力を調節し、患者に適した刺激を行うことができる。
【００１４】
２つのチャンネルを使用し、チャンネル２を表示しているとき、チャンネル１の出力を再調節する場合を考える。チャンネル１の出力調節ボリュームを操作すると、これを入力モニタ４で検出し、チャンネル１の入力に新たな事象が発生したと判断し、図2に示すように、表示を出力２から出力２に切り替える。
【００１５】
一方、本実施例では出力モニタ５で出力のモニタもおこなっており、あるチャンネルに出力異常が生じると、これを出力監視部で検出して新たな事象が生じたと判断し、図2に示すように、異常が発生したチャンネルを特定し、このチャンネルの表示に切り替える。例えば、両方のチャンネルを使用し、出力２を表示しているとき、出力１に異常が発生すると、これを検出して、表示を出力１に切り替えて表示するので、即座に異常を確認できる。
【００１６】
さらに、出力が出ているチャンネルと出ていないチャンネルが混在する場合は、請求項2記載の発明により、出力が出ているチャンネルを優先して表示するようにしている。例えば、両方のチャンネルを使用して、出力１を表示しているとき、出力１が先に治療を終了すると、出力１は出力が無くなる。このとき出力２に切り替えて表示するようにしている。ただし、出力のみをモニタするようにすると、出力が間欠的に出るモードでは一定時間出力がゼロになることがあるので、図2に示すように、一定時間だけ出力が無いとき、表示を切り替えるようにする必要がある。
【００１７】
以上のように、新たな事象が生じると、本発明の装置は自動的に表示を切り替えるが、いずれの表示を行っていても、表示切り替えスイッチを手動で操作すると、目的のチャンネルに表示を切り替えることができる。
【００１８】
以上の説明では、２チャンネル出力の低周波治療器を例に説明した。しかし本発明では、出力は２つに限らず、複数の出力を有するものであってもよい。また、低周波治療器に限らず、全ての医療福祉機器に適応できる。また、入力と出力を別々にモニタする例を示したが、入力と出力は一定の関係にある場合は入力か出力の一方をモニタしてもよい。さらに、この例では２つのチャンネルを１つのモニタで監視しているが、チャンネル毎に別々にモニタしてもよい。以上の説明では、出力調節ボリュームを操作したことを入力モニタ４で監視する例について述べたが、入力モニタ４では、パネル面の他のつまみやスイッチ類、外部トリガー、外部入力など、どのような事象を検出してもよい。出力モニタもなにをモニタしてもよい。
【００１９】
以上のように、本発明によると、複数の出力を一つの表示器で表示する医療福祉機器において、ある出力を表示しているとき、別のチャンネルに新たな事象が生じたとき、自動的に表示をきりかえ、簡単にその内容を確認できるようにした。従来の装置では、手で表示を切り替えなければならないため、面倒であった。また、誤操作や操作忘れにより、適切な表示や出力を得ることができなかったり、安全性が確認できなかったり、さらに、危険性が高くなることもあった。本発明により、これらの不都合を解決できる。
【００２０】
【発明の効果】
請求項1記載の発明により、新たな事象が生じた場合、例えば治療器では出力調節をしたり出力側に異常が発生したりしたとき、測定装置では入力感度を変化させたり、制御装置では制御量を再調節したり、装置に異常が生じたりしたような場合、事象が生じたチャンネルを自動的に選択して表示を切換えるので、手動による表示の切り替えが必要でなくなり、操作が簡単になり、省力化になる。また、表示は調節するチャンネルに瞬時に切り替わるので、常に表示と一致して正しく調節することができ、目的以外のチャンネルを誤って操作することはなくなり、治療器では安全性が向上し、測定器では正確な測定ができ、制御機器では安全で正確な制御ができ、信頼性が向上する。
【００２１】
また、出力異常が生じた場合、自動的に異常が生じたチャンネルに表示を切換えるので、どのチャンネルでどのような異常が発生したかという異常の状態を瞬時に確認することができ、迅速な対応が可能になる。
請求項2記載の発明により、出力表示器は、出力を出していない側を表示しつづけることがないので、実際には出力があるのに出力が無いと誤認することがなくなる。
【００２２】
【図面の簡単な説明】
【図１】本発明の実施例で、装置のブロック図である。
【図２】本発明の動作を示すフローチャートである。
【図３】従来の装置の、表示部の外観図である。
【符号の説明】
１・・・刺激波発生部 ２・・・増幅部
３・・・操作部 ４・・・入力モニタ
５・・・出力モニタ ６・・・表示切り替え部
７、２１・・・表示器 ２２・・・表示切り替えスイッチ
２３・・・出力１の出力調節器 ２４・・・出力２の出力調節器